(57)【特許請求の範囲】
【請求項１】
定規本体と、定規本体の下面に沿ってスライド自在に設けられるスライド定規を備えた直線定規であって、定規本体の下面に定規本体の端面から開口する凹所が形成され、凹所と該凹所に対向するスライド定規の上面のうち、一方に定規本体の線引用縁部に沿って延びるガイド溝が形成されると共に、他方にガイド溝にスライド自在に挿入される被ガイド部が形成され、ガイド溝の端部を屈曲して、前記スライド定規が、凹所に挿入された挿入位置から、前記定規本体の一端面から突出してスライド定規の線引用縁部が定規本体の線引用縁部と面一に連続する突出位置までスライド可能とされたことを特徴とする定規。
【請求項２】
前記被ガイド部に、スライド定規を前記突出位置に配置したときにガイド溝の屈曲側端部の隅部に係止されて回動規制される被係止部が形成されたことを特徴とする請求項１に記載の定規。
【発明の詳細な説明】
【技術分野】
【０００１】
本発明は、定規本体と定規本体に対してスライドするスライド定規を備えた定規に関する。
【背景技術】
【０００２】
特許文献１には、固定スケールの上面にスライドスケール挿入溝を設け、スライドスケール挿入溝にスライドスケールをスライド可能に設けた定規が開示されている。この定規は、固定スケールの目盛りを利用して長さを測るだけでなく、固定スケールに対してスライドスケールをスライドさせることで、スライドスケールの目盛りを利用して、固定スケールで長さが計測されたものとは別のものの長さを測ることができる。
【０００３】
ところで、特許文献１の定規は、スライドスケールをスライドスケール挿入溝に挿入した状態から、スライドスケールを固定スケールの端縁部から突出する突出位置までスライドさせることができる。しかし、スライドスケールを突出位置に配置した状態では、固定スケールの側縁部とスライドスケールの側縁部との間に段差が生じるため、固定スケールの側縁部とスライドスケールの側縁部を利用して、連続した長い線を引くことができない。また、特許文献１のスライドスケールは、固定スケールの上面に設けたスライドスケール挿入溝に挿入されるため、前記突出位置に配置した状態では、スライドスケールの下面が固定スケールの下面を当接した紙面より上方に浮き上がり、スライドスケールの側縁部を利用して綺麗な線を引くことが難しい。
【先行技術文献】
【特許文献】
【０００４】
【特許文献１】実開平６−２５７０５号公報
【発明の概要】
【発明が解決しようとする課題】
【０００５】
本発明は前記事情に鑑みてなされたものであって、長い線を美しく且つ容易に引くことができると共に小型にできる定規を提供することを課題とする。
【課題を解決するための手段】
【０００６】
前記課題を解決するために本発明の定規は、定規本体２と、定規本体２の下面に沿ってスライド自在に設けられるスライド定規３を備えた直線定規１であって、定規本体２の下面に定規本体２の端面から開口する凹所５が形成され、凹所５と該凹所５に対向するスライド定規３の上面のうち、一方に定規本体２の線引用縁部８に沿って延びるガイド溝１０が形成されると共に、他方にガイド溝１０にスライド自在に挿入される被ガイド部１１が形成され、ガイド溝１０の端部を屈曲して、前記スライド定規３が、凹所５に挿入された挿入位置から、前記定規本体２の一端面１３から突出してスライド定規３の線引用縁部９が定規本体２の線引用縁部８と面一に連続する突出位置までスライド可能とされたことを特徴とする。
【０００７】
このように、スライド定規３の被ガイド部１１がスライド自在に挿入されるガイド溝１０の端部を屈曲することで、スライド定規３を、凹所５に挿入された挿入位置から、定規本体２の端面１３から突出してスライド定規３の線引用縁部９が定規本体２の線引用縁部８と面一に連続する突出位置までスライドさせることができる。また、スライド定規３は定規本体２の下面に形成された凹所５に挿入できるため、定規本体２の凹所５部分を除く下面とスライド定規３の下面を面一にすることができる。また、定規本体２の下面に形成された凹所５にスライド定規３を挿入して、定規１をコンパクトにすることができる。
【０００８】
また、前記被ガイド部１１に、スライド定規３を前記突出位置に配置したときにガイド溝１０の屈曲側の端部の隅部２９に係止されて回動規制される被係止部１６が形成されることが好ましい。この構成により、スライド定規３を前記突出位置に配置したときには、被係止部１６がガイド溝１０の屈曲側の端部の隅部２９に係止される。従って、スライド定規３を突出位置に配置したときにスライド定規３が回動することを防止できる。
【発明の効果】
【０００９】
請求項１に係る発明にあっては、スライド定規を定規本体の端面から突出してスライド定規の線引用縁部が定規本体の線引用縁部と面一に連続する突出位置までスライドさせることで、定規本体の線引用縁部とスライド定規の線引用縁部とで連続した長い線引用縁部を構成でき、これを利用して定規本体やスライド定規よりも長い線を引くことができる。また、スライド定規を定規本体の下面に形成された凹所に挿入するので、定規本体の凹所部分を除く下面とスライド定規の下面を面一にして、定規本体の線引用縁部とスライド定規の線引用縁部の両者を線を引く紙面に対して当接することができ、これにより線引用縁部を用いて容易に綺麗な線を引くことができる。また、定規本体の凹所にスライド定規を挿入して、定規をコンパクトにし、また、これにより筆箱等の狭いスペースにも支障なく定規を入れることができる。
【００１０】
また、請求項２に係る発明にあっては、請求項１の効果に加えて、スライド定規を突出位置に配置して線を引くとき等にスライド定規が回動することを防止できる。
【図面の簡単な説明】
【００１１】
【図１】本実施形態のスライド定規を突出位置に配置した定規の平面図である。
【図２】同上のスライド定規を挿入位置に配置したときの定規を示し、（ａ）は平面図であり、（ｂ）は正面図である。
【図３】同上の操作体の側面図である。
【発明を実施するための形態】
【００１２】
以下、本発明の実施形態を添付図面に基づいて説明する。本実施形態の定規１は直線を引くための直線定規として利用されるものであって、図１に示すように、定規本体２と、定規本体２の下面にスライド自在に設けられるスライド定規３と、スライド定規３に設けられてスライド定規３をスライドするための操作体４を備えている。定規本体２、スライド定規３、及び操作体４は、夫々合成樹脂成形品からなる。
【００１３】
定規本体２は略直線板状に形成されており、幅方向片側の直線状縁部よりなる線引用縁部８を有している。具体的には、定規本体２の長さＬ１は１６３．９ｍｍであり、線引用縁部８は定規本体２の長手方向の全長に亘っている。
【００１４】
図２（ｂ）に示されるように、定規本体２の線引用縁部８を含む下面には、スライド定規３を挿入するための凹溝からなる凹所５が形成されている。なお、図１及び図２（ａ）では、凹所５の図示を省略している。
【００１５】
凹所５は定規本体２における幅方向の中間部に形成されており、定規本体２の長手方向に延びている。凹所５は定規本体２の長さ方向の略全長に亘って形成されており、長手方向の一端は定規本体２の一方の端面１３から開口している。すなわち、凹所５は端部に定規本体２の端面１３から開口する開口部６を有している。なお、図示は省略するが凹所５の他端は定規本体２の端面１３と反対側の端面２３によって閉塞されている。以下、定規本体２の端面１３側を前側、端面２３側を後側として説明する。
【００１６】
スライド定規３は定規本体２の凹所５と略合致する略直線板状に形成されており、凹所５内に長手方向にスライド自在に収納される。このスライド定規３は、図２（ｂ）に示されるように、スライド定規３の下面と、定規本体２の下面において凹所５を除く部分が面一になっている。
【００１７】
スライド定規３は、定規本体２の線引用縁部８側の直線状縁部よりなる線引用縁部９を有しており、線引用縁部９は定規本体２の線引用縁部８と平行である。具体的には、スライド定規３の長さＬ２は１６０．４ｍｍに設定されており、線引用縁部９はスライド定規３の前側の端面１５から後端部に至るまで形成されている。
【００１８】
スライド定規３は、凹所５に挿入した図２（ａ）に示される挿入位置から、図１に示されるように定規本体２の端面１３から突出した突出位置までの範囲でスライドする。突出位置に配置されたスライド定規３の線引用縁部９は定規本体２の線引用縁部９と面一となって一直線状に連続する。
【００１９】
定規１は前記スライド定規３のスライドをガイドするガイド手段を備えている。ガイド手段は、定規本体２の下面に形成されたガイド溝１０と、定規本体２の下面に対向するスライド定規３の上面に形成されて、ガイド溝１０にスライド自在に収納される被ガイド部１１とで構成されている。
【００２０】
ガイド溝１０は定規本体２の下面の一部を構成する凹所５の溝奥部に形成され、凹所５の溝奥部を上下に貫通している。
【００２１】
ガイド溝１０は、定規本体２の直線状の線引用縁部８に沿って延びる平行部１２と、平行部１２の前端部に連続して、定規本体２の線引用縁部８に対して傾斜した傾斜部１４とで構成されており、すなわち定規本体２の端面１３側の端部は線引用縁部８側に屈曲している。ガイド溝１０の屈曲角度α（図２（ａ）参照）は、スムーズに被ガイド部１１をスライドさせるため９０°以下が好ましく、より好ましくは屈曲角度αは３０°以上６０°未満に設定される。本実施形態では屈曲角度αが４５°に設定されている。
【００２２】
被ガイド部１１は、スライド定規３の後端部の幅方向中間部に形成されており、スライド定規３の上面から上方に突出する筒状に形成されている。ガイド溝１０に挿入された筒状の被ガイド部１１の内側穴１７には、図３に示す操作体４の操作部１９の下面に突設された被嵌込部１８が上方から嵌め込まれ、これによって操作体４はスライド定規３に取り付けられる。操作体４の操作部１９は定規本体２の上方に位置し、定規本体２の上面に沿ってスライドする。また、操作体４の操作部１９の下面には、被嵌込部１８よりも後側に位置する第一被掛止部２１と、被嵌込部１８よりも前側に位置する第二被掛止部２２が突設されている。
【００２３】
図２（ａ）に示すようにスライド定規３を挿入位置に配置した状態では、被ガイド部１１はガイド溝１０の平行部１２における後端部に配置される。また、操作体４の第一被掛止部２１が定規本体２の後側の端面２３に係止されて操作体４の前側へのスライドが規制される。
【００２４】
上記挿入位置に配置されたスライド定規３を図１に示す突出位置までスライドするには、操作部１９を操作して操作体４を前側にスライドし、操作体４に連結された被ガイド部１１を傾斜部１４における前端部まで移動する。なお、このスライドの初期にはやや力を入れて操作部１９を操作することにより、操作体４の第一被掛止部２１が定規本体２の端面２３を乗り越えるようになっており、以後は僅かな力で操作体４をスライドできるようになっている。
【００２５】
上記により、被ガイド部１１は、ガイド溝１０の両側縁部にガイドされてスムーズに傾斜部１４の端部まで移動する。このように被ガイド部１１をガイド溝１０に沿って移動させると、スライド定規３は被ガイド部１１と共に定規本体２の幅方向において線引用縁部８側に移動すると共に、定規本体２の端面１５から前方に突出する。この突出位置に配置されたスライド定規３の線引用縁部９は、定規本体２の線引用縁部８と面一となり、定規本体２の線引用縁部８とスライド定規３の線引用縁部９とで連続した長い直線状の線引用縁部２０が構成される。また、操作体４の第二被掛止部２２は定規本体２の前側の端面１３に係止され、これによって操作体４の後側へのスライドが規制される。図示例では、突出位置に配置されたスライド定規３は定規本体２の端面１５から１４２．０ｍｍ突出し、合計で３０５．９ｍｍの長さを有する線引用縁部２０が形成される。また、スライド定規３が挿入位置から突出位置に移動したとき、スライド定規３は４．０ｍｍ程度定規本体２の幅方向において線引用縁部８側に移動する。
【００２６】
上記突出位置に配置されたスライド定規３を図２（ａ）に示すまで挿入位置までスライドするには、上記とは逆に操作部１９を操作する。すなわち、操作体４を定規本体２の端面１３から離れる方向にスライドする。なお、このスライドの初期にはやや力を入れて操作部１９を操作することにより、操作体４の第二被掛止部２２が定規本体２の端面１３を乗り越えるようになっており、以後は僅かな力で操作体４をスライドできるようになっている。
【００２７】
上記により、被ガイド部１１はガイド溝１０の両側縁部にガイドされてスムーズに平行部１２の後端部まで移動し、これに伴って、スライド定規３は定規本体２の幅方向において線引用縁部８から離れる方向に移動すると共に凹所５に収納される。
【００２８】
また、定規１は、突出位置に配置したスライド定規３が被ガイド部１１を中心に回動することを防止する二種の回動規制手段を備えている。
【００２９】
第一の回動規制手段は、被ガイド部１１に形成された被係止部１６で構成されている。被ガイド部１１の周壁部は前端部を除く部分がガイド溝１０内をスムーズにスライドできるようにガイド溝１０の溝幅（図示例では５．８ｍｍ）と略同じ直径を有する平面視円弧状に形成されているのに対して、前端部は平面視で前側程幅狭になる略三角形状となっており、この前側に突出した略三角形状部分により被係止部１６が構成されている。被係止部１６の前角部は平面視で直交する２つの面部２５，２６により構成されている。
【００３０】
他方、ガイド溝１０の傾斜部１４は、平行部１２と反対側の部分が平面視矩形状に形成されており、傾斜部１４の前側に位置する隅部２９は、平行部１２と反対側の端縁部２７と、これに直交する側縁部２８とで構成されている。そして、前記被係止部１６の面部２５，２６は、傾斜部１４の端縁部２７及び側縁部２８の夫々と平行になっている。
【００３１】
スライド定規３が突出位置に配置されると、被係止部１６の面部２５，２６は、傾斜部１４の端縁部２７及び側縁部２８の夫々に沿った状態となり、被係止部１６の前角部が傾斜部１４の前側の隅部２９に係止される。これにより、突出位置のスライド定規３は被係止部１６と共に被ガイド部１１を中心に回動することが規制される。
【００３２】
第二の回動規制手段は、スライド定規３に形成された第二被係止部３０と、定規本体２に形成された係止部３１により構成されている。
【００３３】
スライド定規３の後端部の線引用縁部９側には切欠３２が形成されている。切欠３２の側縁部３３はガイド溝１０の平行部１２の長手方向と平行であり、切欠３２の前縁部３４は傾斜してガイド溝１０の傾斜部１４の傾斜方向と平行になっている。そして、前記第二被係止部３０は切欠３２の側縁部３３と前縁部３４で構成される隅部からなる。
【００３４】
他方、定規本体２の凹所５の線引用縁部８側の側縁部は、前端部を除く部分３６（図２（ｂ）参照）がガイド溝１０の平行部１２の長手方向と平行であるのに対して、前端部３５（図２（ｂ）参照）がガイド溝１０の傾斜部１４の傾斜方向と平行になっている。そして、前記係止部３１は部分３６と前端部３５で構成される角部からなる。
【００３５】
スライド定規３が突出位置に配置されると、切欠３２の側縁部３３及び前縁部３４が凹所５の部分３６及び前端部３５の夫々に沿った状態となって、第二被係止部３０が係止部３１に係止され、これにより突出位置のスライド定規３は被ガイド部１１を中心に回動することが規制される。このように本実施形態の定規１は二種類の回動規制手段により、突出位置のスライド定規３が回動することを確実に防止することができる。
【００３６】
以上説明した定規１は、スライド定規３の被ガイド部１１がスライド自在に挿入されるガイド溝１０の端部を屈曲することで、スライド定規３を、凹所５に挿入された挿入位置から、定規本体２の端面１３から突出してスライド定規３の線引用縁部９が定規本体２の線引用縁部８と面一に連続する突出位置までスライドさせることができる。このため、定規本体２の線引用縁部８とスライド定規３の線引用縁部９とで連続した長い線引用縁部２０を構成でき、この線引用縁部２０を利用して定規本体２やスライド定規３よりも長い線を引くことができる。また、スライド定規３は定規本体２の下面に形成された凹所５に挿入できるため、定規本体２の凹所５部分を除く下面とスライド定規３の下面を面一にすることができる。従って、定規本体２の線引用縁部８と突出位置に配置したスライド定規３の線引用縁部９の両者からなる線引用縁部２０を線を引く紙面に対して当接することができ、この線引用縁部２０を用いて容易に綺麗な線を引くことができる。また、定規本体２の下面に形成された凹所５にスライド定規３を挿入して、定規１をコンパクトにすることができ、また、これにより筆箱等の狭いスペースにも支障なく定規１を入れることができる。
【００３７】
また、本実施形態の定規１は、ガイド溝１０の屈曲角度を４５°にしているので、平行部１２に位置する被ガイド部１１を傾斜部１４側に移動したときにスムーズに傾斜部１４側に導くことができる。同様に、傾斜部１４に位置する被ガイド部１１を平行部１２に移動するときにも被ガイド部１１をスムーズに平行部１２に導くことができる。
【００３８】
なお、本実施形態では、ガイド溝１０を定規本体２を貫通する長孔で構成したが、非貫通の溝等で構成しても構わない。また、本実施形態では、定規本体２にガイド溝１０を形成すると共に、スライド定規３に被ガイド部１１を形成したが、スライド定規３を凹所５に挿入された挿入位置から、定規本体２の端面１３から突出してスライド定規３の線引用縁部９が定規本体２の線引用縁部８と面一に連続する突出位置までガイドできるようにガイド溝１０を屈曲させたものであれば、定規本体２に被ガイド部１１を形成すると共にスライド定規３にガイド溝１０を形成しても構わない。
【００３９】
また、図示例の定規本体２及びスライド定規３には目盛りが付されていないが、定規本体２に線引用縁部８に沿って目盛りを付すと共にスライド定規３に線引用縁部９に沿って目盛りを付しても構わない。また、定規本体２は複数のパーツを組み合わせて構成しても構わない。さらに、スライド定規３に別体の操作体４を取り付けたが、操作体４をスライド定規３と一体に形成しても構わない。
【００４０】
また、この他、本発明を逸脱しない範囲で適宜設計変更可能である。
【符号の説明】
【００４１】
１  定規
２  定規本体
３  スライド定規
５  凹所
８  線引用縁部
１０  ガイド溝
１１  被ガイド部
１６  被係止部
【図１】
0005775331.tif 000002
【図２】
0005775331.tif 000003
【図３】
0005775331.tif 000004